(57)【要約】【課題】表示部を有する第１の筐体と操作部を有する第２の筐体とを２軸ヒンジを介して連結することにより、表示部を表にしても裏にしても折り畳めるようにした折り畳み式電子機器において、表示部を表にして第１の筐体を折り畳んだ際に第２の筐体の操作部の一部を露出させてキー操作を可能とする。【解決手段】表示部１１を有する第１の筐体１と操作部２１を有する第２の筐体２とを互いに開閉動作させる際に中心となる開閉軸３と、第１の筐体１と第２の筐体２を開いた状態で第１の筐体１を第２の筐体２に対し回動動作させる際に中心となる回動軸４とを備える折り畳み式電子機器であって、回動軸４を、第１の筐体１及び第２の筐体２の幅方向の中心から側方に変位させる。つまり、表示部１１を表にして折り畳んだ状態において、第１の筐体１の側方に第２の筐体２の操作部２１の一部２２ａ・２４ａが露出状態となってキー操作を可能とする。【選択図】図１
2006019822.tif 000002
【特許請求の範囲】
【請求項１】
表示部を有する第１の筐体と操作部を有する第２の筐体とを互いに開閉動作させる際に中心となる開閉軸と、第１の筐体と第２の筐体を開いた状態で第１の筐体を第２の筐体に対し回動動作させる際に中心となる回動軸とを備える折り畳み式電子機器であって、
前記回動軸を、第１の筐体及び第２の筐体の幅方向の中心から側方に変位させたことを特徴とする折り畳み式電子機器。
【請求項２】
表示部を表にして折り畳んだ状態において、第１の筐体の側方に第２の筐体の操作部の一部が露出状態となってキー操作を可能とすることを特徴とする請求項１に記載の折り畳み式電子機器。
【発明の詳細な説明】
【技術分野】
【０００１】
本発明は、表示部を有する第１の筐体と操作部を有する第２の筐体とを、表示部を表にしても裏にしても折り畳めるように２軸ヒンジを介して連結した折り畳み式電子機器に関する。
【背景技術】
【０００２】
折り畳み式の電子機器、特に携帯電話機において、表示部を表にしても裏にしても折り畳めるようにした２軸ヒンジ構造のものがある（例えば特許文献１参照）。
その２軸ヒンジ構造は、例えば図３に示すように、表示部１１を有する第１の筐体１と操作部２１を有する第２の筐体２とを開閉する際に中心となる開閉軸３と、第１の筐体１と第２の筐体２を開いた状態で第１の筐体１を第２の筐体２に対し回動する際に中心となる回動軸４とを備える。そして、この回動軸４の中心が第１の筐体１及び第２の筐体２の幅方向の中央に位置している。
【０００３】
従来、図３（ａ）に示されるように、第１の筐体１の表示部１１と第２の筐体２の操作部２１が並ぶように開いた状態から折り畳むと、図３（ｂ）及び図３（ｃ）に示すように、表示部１１を裏にして折り畳んだ場合及び表にして折り畳んだ場合の何れにおいても第２の筐体２の操作部２１が第１の筐体１で全て覆われる構成となっていた。
【特許文献１】特開２００２−１７１１８９号公報
【発明の開示】
【発明が解決しようとする課題】
【０００４】
２軸ヒンジ構造の折り畳み式電子機器において、折り畳み状態で第２の筐体２の操作部２１が第１の筐体１で全て覆われるため、図３（ｃ）に示されるように、表示部１１を表にして折り畳んだ状態で操作するためのキーは全て第２の筐体２の側面に設ける必要があった。
【０００５】
本発明の課題は、表示部を有する第１の筐体と操作部を有する第２の筐体とを２軸ヒンジを介して連結することにより、表示部を表にしても裏にしても折り畳めるようにした折り畳み式電子機器において、表示部を表にして第１の筐体を折り畳んだ際に第２の筐体の操作部の一部を露出させてキー操作を可能とすることである。
【課題を解決するための手段】
【０００６】
以上の課題を解決するため、請求項１に記載の発明は、例えば図１または図２に示すように、表示部１１を有する第１の筐体１と操作部２１を有する第２の筐体２とを互いに開閉動作させる際に中心となる開閉軸３と、第１の筐体１と第２の筐体２を開いた状態で第１の筐体１を第２の筐体２に対し回動動作させる際に中心となる回動軸４とを備える折り畳み式電子機器であって、前記回動軸４を、第１の筐体１及び第２の筐体２の幅方向の中心から側方に変位させたことを特徴とする。
【０００７】
請求項１に記載の発明によれば、第１の筐体と第２の筐体を開閉軸を中心に開いた状態で第１の筐体を第２の筐体に対し回動動作させる際に中心となる回動軸を、第１及び第２の筐体の幅方向中心から側方に変位させたので、表示部を表にして第１の筐体を折り畳んだ状態において、第１の筐体の側方に第２の筐体の操作部の一部が露出可能となる。これにより、その露出した一部のキー操作が可能となる。
【０００８】
請求項２に記載の発明は、請求項１に記載の折り畳み式電子機器であって、例えば図１または図２に示すように、表示部１１を表にして折り畳んだ状態において、第１の筐体１の側方に第２の筐体２の操作部２１の一部２２ａ・２４ａ（２２ｂ・２４ｂ）が露出状態となってキー操作を可能とすることを特徴とする。
【０００９】
請求項２に記載の発明によれば、表示部を表にして第１の筐体を折り畳んだ状態において、第１の筐体の側方に第２の筐体の操作部の一部が露出状態となるので、その露出状態のキーを操作できる。
【発明の効果】
【００１０】
本発明によれば、２軸ヒンジの回動軸を、第１及び第２の筐体の幅方向中心から側方に変位させたことにより、表示部を表にして第１の筐体を折り畳んだ状態において、第１の筐体の側方に第２の筐体の操作部の一部が露出可能となることから、その露出した一部のキー操作が可能となる。
従って、表示部を表にして折り畳んだ状態で操作するためのキーを従来のように第２の筐体の側面に設ける必要がなく、キー構成の簡素化並びにコストダウンが図れる。
【発明を実施するための最良の形態】
【００１１】
以下、図を参照して本発明を実施するための最良の形態を詳細に説明する。
（実施形態１）
本発明を適用した折り畳み式電子機器の第１実施形態として携帯電話機の構成を示す図１において、１は第１の筐体、１１は表示部、１５はスピーカ孔、２は第２の筐体、２１は操作部、２５はマイク孔、２６はアンテナ、３は開閉軸、４は回動軸である。
【００１２】
図示のように、第１の筐体１には、一面側に表示部１１と通話用のスピーカ孔１５が設けられている。
第２の筐体２には、一面側に操作部２１と通話用のマイク孔２５が設けられ、一端側にアンテナ２６が設けられて、図示しない他面側に着信報知用のスピーカが設けられている。操作部２１は、５つのファンクションキー２２、十字カーソルキー２３及びダイヤルキー（テンキーとアスタリスクキー及びシャープキー）２４からなる。
【００１３】
そして、第１の筐体１と第２の筐体２は、図示のように、一端側（図示例ではアンテナ２６側）において、開閉軸３を介して互いに開閉動作自在に組み付けられている。さらに、第１の筐体１は、開閉軸３に直角に位置する回動軸４に対し回転自在に、例えばカシメ結合により抜け止めして組み付けられている。
すなわち、第１の筐体１は、開閉軸３を中心として開いた状態の第２の筐体２に対し、回動軸４を中心として回転自在となっている。
【００１４】
このような開閉軸３及び回動軸４による２軸ヒンジにより第１の筐体１と第２の筐体２とを組み付けた携帯電話機において、回動軸４は、図示のように、第１及び第２の筐体１・２の幅方向の中心から側方に変位させた構造となっている。
すなわち、図１（ａ）及び（ｂ）に示したように、回動軸４は第２の筐体２の幅方向中心に対し右側方にほぼ軸１本分だけ変位させて構成している。
【００１５】
これにより、図１（ｃ）に示すように、表示部１１を表にして第１の筐体１を第２の筐体２に重ねて折り畳んだ状態において、第１の筐体１の左側方に第２の筐体２の操作部２１の一部、つまり、左側一列のキー２２ａ・２４ａが露出状態となる。
具体的には、キー２２ａはＬ形配置による５つのファンクションキー２２のうちの左側３個のキーであり、キー２４ａはダイヤルキー２４の左側４個のキー（１キー、４キー、７キー及びアスタリスクキー）である。
【００１６】
以上の２軸ヒンジ構造とした携帯電話機によれば、図１（ａ）に示すように、第１の筐体１と第２の筐体２を互いに開いた状態において、表示部１１を見ながら操作部２１のファンクションキー２２、十字カーソルキー２３及びダイヤルキー（テンキーとアスタリスクキー及びシャープキー）２４のキー入力操作が行える。
そして、第１の筐体１を回動軸４を中心に回動させて、図１（ｃ）に示したように、表示部１１を表に向けて折り畳んだ状態にすると、第１の筐体１の左側方に第２の筐体２の操作部２１の左側一列に並んだ３個のファンクションキー２２ａ及び４個のダイヤルキー２４ａが露出状態となり、これらのキーの操作が可能となる。
【００１７】
従って、第１の筐体１を表示部１１を表にして折り畳んだ場合にこれらのキーの機能を所要のものに切り替えるようにすれば、表示部１１を見ながらその左側方に沿って一列に露出状態となっているファンクションキー２２ａ及びダイヤルキー（１キー、４キー、７キー及びアスタリスクキー）２４ａを操作することにより所要の指示入力を行うことができる。
このため、第２の筐体２の側面には、表示部１１を表にして折り畳んだ状態で操作するためのキーを従来のように設ける必要がない。よって、キー構成の簡素化並びにコストダウンを達成できる。
【００１８】
なお、本実施形態においては、第１の筐体１を表示部１１を表にして折り畳んだ場合には、露出状態となるファンクションキー２２ａ及びダイヤルキー２４ａのキー機能を切り替えるだけでなく表示部１１に表示される画像の向きを切り替えるのが望ましく、また、第１の筐体１を表示部１１を裏にして折り畳んだ場合には、表示部１１の電源をオフにするようにするのが望ましい。
そこで、第１の筐体１を表示部１１を表にして折り畳んだのか、或いは表示部１１を裏にして折り畳んだのかを検出する手段を設け、この検出手段による検出に基づいて、表示部１１を表にして折り畳んだ場合には、露出状態となるファンクションキー２２ａ及びダイヤルキー２４ａのキー機能を切り替えるとともに、表示部１１に表示される画像の向きを、例えば図１（ｃ）に示すように上下逆にする。この画像表示の向きは、本実施形態の携帯電話機を左手で持った状態で露出状態のファンクションキー２２ａ及びダイヤルキー２４ａを左手の親指で操作するのに適している。
【００１９】
なお、第１の筐体１を表示部１１を表にして折り畳んだ際に表示部１１に表示される画像の向きは、露出状態のファンクションキー２２ａ及びダイヤルキー２４ａ側が上側或いは下側となるように横向きに切り替えても良い。画像の表示の向きを露出状態のファンクションキー２２ａ及びダイヤルキー２４ａ側が表示画像の下側となるように切り替えた場合には、表示画面が横長となるとともに、ゲーム機のように両手の親指でキー２２ａ及び２４ａを操作することもできる。
そして、表示部１１を裏にして折り畳んだ場合には、表示部１１の電源がオフされる。
【００２０】
（実施形態２）
この実施形態２では、前述した第１実施形態と同様の開閉軸３及び回動軸４による２軸ヒンジにより第１の筐体１と第２の筐体２とを組み付けた携帯電話機において、回動軸４は、図２（ａ）及び（ｂ）に示したように、回動軸４を第２の筐体２の幅方向中心に対し左側方にほぼ軸１本分だけ変位させて構成している。
【００２１】
これにより、図２（ｃ）に示すように、表示部１１を表にして第１の筐体１を第２の筐体２に重ねて折り畳んだ状態において、第１の筐体１の右側方に第２の筐体２の操作部２１の一部、つまり、右側一列のキー２２ｂ・２４ｂが露出状態となる。
具体的には、キー２２ｂは左右逆Ｌ形配置による５つのファンクションキー２２のうちの右側３個のキーであり、キー２４ｂはダイヤルキー２４の右側４個のキー（３キー、６キー、９キー及びシャープキー）である。
【００２２】
このような実施形態２によれば、第１の筐体１を回動軸４を中心に回動させて、図２（ｃ）に示したように、表示部１１を表に向けて折り畳んだ状態にすると、第１の筐体１の右側方に第２の筐体２の操作部２１の右側一列に並んだ３個のファンクションキー２２ｂ及び４個のダイヤルキー２４ｂが露出状態となる。
従って、表示部１１を見ながらその右側方に沿って一列に露出状態のファンクションキー２２ｂ及びダイヤルキー（３キー、６キー、９キー及びシャープキー）２４ｂのキー入力操作が行える。
【００２３】
以上、実施形態２においても、前述した実施形態１と同様、表示部１１を表にして折り畳んだ場合の画像及びキー機能の切替制御と、表示部１１を裏にして折り畳んだ場合の表示部１１の電源をオフとを行うようにする。
【００２４】
なお、以上の実施形態においては、携帯電話機としたが、本発明はこれに限定されるものではなく、ＰＤＡなど他の携帯通信端末機器を含む折り畳み式電子機器であっても良い。
また、実施形態では、第１の筐体と第２の筐体が上下に開くものとしたが、これに限らず、左右に開く構成のものでも良い。
さらに、回動軸の変位量、筐体のデザイン等も任意であり、その他、具体的な細部構造等についても適宜に変更可能であることは勿論である。
【図面の簡単な説明】
【００２５】
【図１】本発明を適用した折り畳み式電子機器の第１実施形態の構成を示すもので、開いた状態の正面図（ａ）、そのまま折り畳んだ状態の正面図（ｂ）、表示部を表にして折り畳んだ状態の正面図（ｃ）である。
【図２】本発明を適用した折り畳み式電子機器の第２実施形態の構成を示すもので、開いた状態の正面図（ａ）、そのまま折り畳んだ状態の正面図（ｂ）、表示部を表にして折り畳んだ状態の正面図（ｃ）である。
【図３】従来の２軸ヒンジ構造による折り畳み式電子機器の構成を示すもので、開いた状態の正面図（ａ）、そのまま折り畳んだ状態の正面図（ｂ）、表示部を表にして折り畳んだ状態の正面図（ｃ）である。
【符号の説明】
【００２６】
１  第１の筐体
１１  表示部
１５  スピーカ孔
２  第２の筐体
２１  操作部
２２  ファンクションキー
２２ａ・２２ｂ  折り畳み状態露出可能キー
２３  十字カーソルキー
２４  ダイヤルキー
２４ａ・２４ｂ  折り畳み状態露出可能キー
２５  マイク孔
２６  アンテナ
３  開閉軸
４  回動軸
【図１】
2006019822.tif 000003
【図２】
2006019822.tif 000004
【図３】
2006019822.tif 000005